(57)【要約】【課題】船舶に付与された記号や番号を発光によって明瞭に表示することができ夜間のように周囲が暗くなっても船籍表示記号を確認することができ、衝突の発生及び密漁や不法行為等を未然に防げる船舶の発光表示装置を提供する。【解決手段】背面側を粗面に形成した透明な合成樹脂板３の表面側に不透明な船籍表示記号５を設け、この合成樹脂板３の粗面側に反射板４を重ねて配置し、上記合成樹脂板３の周囲の一部に、この合成樹脂板３を板厚面から照射する光源９を配置し、光源９の点灯で粗面を発光させることにより、船籍表示記号５を光の中に浮き上がらせて表示する。【選択図】　図２
2004037741.tif 000002
【特許請求の範囲】
【請求項１】
一面側を粗面に形成した透明な合成樹脂板に不透明な船籍表示記号を設け、この合成樹脂板の粗面側に反射板を重ねて配置し、上記合成樹脂板の周囲の一部に、この合成樹脂板を板厚面から照射する光源を配置した船舶の発光表示装置。
【請求項２】
前記船籍表示記号が、暗色の合成樹脂シートを切り抜いて形成され、この船籍表示記号を合成樹脂板の粗面と反対側の面に貼り付け、上記合成樹脂板と反射板を透明な合成樹脂の外装ケースで覆った請求項１に記載の船舶の発光表示装置。
【発明の詳細な説明】
【０００１】
【発明の属する技術分野】
この発明は、船舶の見やすい位置に取り付け、夜間等において、船舶の存在及び船舶の種類や持ち主を表示するための発光表示装置に関する。
【０００２】
【従来の技術】
例えば、漁船等の船舶においては、船舶ごとに特定の記号や番号が付与され、この船籍表示記号によって船籍を識別することができるようになっている。
【０００３】
従来、上記のような船籍表示記号は、船舶の側面等の見やすい位置にペイントで表示するようになっていた。
【０００４】
【発明が解決しようとする課題】
ところで、上記のようなペイントによる船籍表示記号は、昼間の明るい時は読み取りに困難はないにしても、夜間のように周囲が暗くなると見えにくくなり、離れた位置からの記号や番号の読み取りができないので、船籍表示記号の識別が困難である。
【０００５】
また、漁船に対しては、密漁や不法行為等の監視が必要になるが、一般的に密漁や不法行為等は夜間に行われることが多く、このため、離れた位置から船籍表示記号を確認しなければならないが、従来の船籍表示記号の表示では確認が困難であり、密漁や不法行為をしている船舶に逃げられてしまうということが多々生じている。
【０００６】
さらに、漁船による操業において、漁の種類によっては消灯状態で行うものがあり、夜間に消灯状態で操業や停泊している漁船は近くからでもその存在の確認が困難になり、このため、衝突事故が多々発生しているのが現状である。
【０００７】
そこで、この発明の課題は、船舶に付与された船籍表示記号を発光によって明瞭に表示することができるようにし、船舶に取り付けることで、夜間のように周囲が暗くなっても、船舶の存在の表示と共に、船籍を確認することができ、衝突事故と密漁や不法行為等を未然に防げる船舶の発光表示装置を提供することにある。
【０００８】
【課題を解決するための手段】
上記のような課題を解決するため、この発明は、一面側を粗面に形成した透明な合成樹脂板に不透明な船籍表示記号を設け、この合成樹脂板の粗面側に反射板を重ねて配置し、上記合成樹脂板の周囲の一部に、この合成樹脂板を板厚面から照射する光源を配置した構成を採用したものである。
【０００９】
上記船籍表示記号が、暗色の合成樹脂シートを切り抜いて形成され、この船籍表示記号を合成樹脂板の粗面と反対側の面に貼り付け、上記合成樹脂板と反射板を透明な合成樹脂の外装ケースで覆った構造とすることができる。
【００１０】
上記した透明な合成樹脂板はアクリル樹脂を用い、この合成樹脂板を照射する光源としては、ＬＥＤのほか、蛍光灯、白熱ランプ、ハロゲンランプ、冷陰極管等を使用する。
【００１１】
上記光源を点灯すると、その光が合成樹脂板の板厚内を通過するとき、カッティング等によって形成された粗面に衝突することによって、この粗面を発光させることになり、従って、合成樹脂板に貼り付けた船籍表示記号が光の中に浮き上がり、夜間において、遠くからでも船舶の存在を確認でき、しかも船籍表示記号によって船舶の種類や持ち主等を表示することができる。
【００１２】
また、合成樹脂板の粗面側に反射板を重ねることにより、発光した粗面の光を反射して輝度を向上させ、船籍表示記号をより鮮明に表示することができる。
【００１３】
【発明の実施の形態】
以下、この発明の実施の形態を図示例と共に説明する。
【００１４】
図示のように、発光表示装置１は、背面側を彫刻による粗面２にした透明で横長矩形状の合成樹脂板３と、この合成樹脂板３の粗面側に配置した反射板４と、合成樹脂板３の表面に貼り付けた船籍表示記号５と、合成樹脂板３と反射板４を重ねた状態で収納するポリカーボネート等の透明な合成樹脂の外装ケース６とでナンバープレート７を形成し、上記合成樹脂板３と反射板４の外周部分を遮光テープ８で覆って光が漏れないように処理し、上記合成樹脂板３の周囲の一部に、この合成樹脂板３を板厚面から照射する光源９を配置した構造になっている。
【００１５】
上記合成樹脂板３は透明なアクリル樹脂を用い、合成樹脂板３の背面側の粗面２は図３（Ｂ）のように、格子状のような彫刻やエッチング等によって背面全体に形成され、反射板４は、材質は問わないが、例えば、合成樹脂板３と同じ大きさの合成樹脂板を用い、粗面２に重なる表面側に白色のような光の反射層を設けて形成されている。
【００１６】
上記船籍表示記号５は、黒色のような暗色で不透明な合成樹脂シートやプレートを、船舶ごとに付与された文字や数字、記号等に合わせて切り抜き、これを合成樹脂板３の表面に所定の順序で貼り付けるようにしたものである。また、これとは別に、船籍表示記号５は、印刷やペイントによって形成してもよい。
【００１７】
上記合成樹脂板３に対する光源９の配置は、図２のように、合成樹脂板３の両端部に複数の凹欠部１０を設け、合成樹脂板３の両端部に配置した基板１１に各凹欠部１０内に納まる光源９を取り付け、光源９をナンバープレート７の外部に引き出したコード１２で電源と接続して点灯させることにより、合成樹脂板３を凹欠部１０の周縁における板厚面から光を照射する構造になっている。このように、光源９を凹欠部１０内に納めた構造とすることにより、光源９の光をまんべんなく合成樹脂板３に投光させることができる。
【００１８】
この光源９としては、図示の場合、白色発光ダイオード（ＬＥＤ）を使用したが、他の光源としては、蛍光灯、白熱ランプ、ハロゲンランプ、冷陰極管等を使用することができ、このような光源９を採用した場合、凹欠部１０はこれらの光源が納まる形状や大きさに形成すればよい。
【００１９】
上記ナンバープレート７の船舶Ａへの取り付けは、図示の場合、外装ケース６の背面で複数箇所の位置に両面粘着テープ１３を設け、この両面粘着テープ１３で貼り付ける例を示したが、船舶Ａに対してビス止めによって固定するようにしてもよい。
【００２０】
この発明の発光表示装置は、上記のような構成であり、取り付けんとする船舶Ａに付与されている文字や数字、記号からなる船籍表示記号５をナンバープレート７に表示した状態で、このナンバープレート７を図１のように、船舶Ａの両側面等の見えやすい位置に取り付け、夜間や濃霧時において、電源と接続した光源９を点灯させると、その光が合成樹脂板３の板厚内を通過するとき、粗面２に衝突することによって、この粗面２を乱反射状態に発光させることになる。
【００２１】
しかも、粗面２側に重ねた反射板４が発光した粗面２の乱反射した光を前方に向けて放射することで輝度を向上させ、これにより、合成樹脂板３に貼り付けた船籍表示記号５が光の中に浮き上がり、遠くからでも船籍表示記号５の読取による船舶の種類や持ち主、国籍等を確認することができ、これにより、蜜業や不法行為の摘発が簡単に行えることになる。
【００２２】
また、粗面２によって合成樹脂板３全体を発光させることにより、十分な大きさの発光面積を確保でき、消灯状態で操業したり停泊している船舶Ａを遠くからでもその存在が確認することができ、衝突事故を有効に回避することができる。
【００２３】
さらに、合成樹脂板３への船籍表示記号５の表示を大きくすることにより、昼間においても船籍表示記号５の視認が容易にできる。
【００２４】
【発明の効果】
以上のように、この発明によると、一面側を粗面にした透明な合成樹脂板に船籍表示記号を設け、この合成樹脂板の板厚に光源を照射して粗面を発光させるようにしたので、夜間や濃霧時において、光源を点灯させると粗面の発光により船籍表示記号が光の中に浮き上がり、遠くからでも船籍表示記号の読取による船舶の種類や持ち主等を確認することができる。
【００２５】
また、粗面の発光により遠くからでも船舶の存在が確認でき、消灯状態で操業中や停泊している漁船に対する衝突事故を未然に防ぐことができる。
【００２６】
さらに、合成樹脂板の粗面側に反射板を重ねたので、発光した粗面の光を反射して輝度を向上させることができ、より鮮明に船籍表示記号を表示することができる。
【図面の簡単な説明】
【図１】この発明に係る発光表示装置を船舶に取り付けた状態の正面図
【図２】（Ａ）はこの発明に係る発光表示装置の要部を切り欠いた拡大正面図、（Ｂ）は同上における光源収納部分の拡大正面図
【図３】（Ａ）はこの発明に係る発光表示装置の拡大側面図、（Ｂ）は同上における合成樹脂板の粗面を示す背面図
【符号の説明】
１　　発光表示装置
２　　粗面
３　　合成樹脂板
４　　反射板
５　　船籍表示記号
６　　外装ケース
７　　ナンバープレート
８　　遮光テープ
９　　光源
１０　凹欠部
１１　基板
１２　コード
１３　両面粘着テープ
【図１】
2004037741.tif 000003
【図２】
2004037741.tif 000004
【図３】
2004037741.tif 000005